(57)【要約】【課題】  陳列棚に載置して販売される包装体において、複数を整列させ易く、綺麗に陳列させることができる包装体１を提供する。【解決手段】  物品２と、物品２が取り付けられた背面壁３と、背面壁３に対して間隙を有して配置された正面壁４と、正面壁４の第１側部側を支持し且つ背面壁３と正面壁４の間隙を保持する第１側面壁５と、正面壁４の第２側部側を支持し且つ背面壁３と正面壁４の間隙を保持する第２側面壁６と、を備え、背面壁３及び正面壁４の下部を陳列棚に載置して自立可能な包装体１において、正面壁４が、幅狭領域４１と、幅狭領域４１の横幅よりも大きく且つ背面壁３の横幅の０．６倍以上の横幅を有する幅広領域４２と、を有し、物品２の一部分が背面壁３と正面壁４の間隙に差し入れられ且つ正面壁４から突出しない状態で、前記物品２が背面壁３に取り付けられている。【選択図】  図１
2019142577.tif 000002
【特許請求の範囲】
【請求項１】
物品と、
前記物品が取り付けられた背面壁と、
前記背面壁に対して間隙を有して配置され且つ前記背面壁と略平行に配置された正面壁と、
前記正面壁の第１側部側を支持し且つ前記背面壁と正面壁の間隙を保持する第１側面壁と、
前記正面壁の第２側部側を支持し且つ前記背面壁と正面壁の間隙を保持する第２側面壁と、を備え、
前記背面壁及び正面壁の下部を陳列棚に載置して自立可能な包装体において、
前記正面壁が、幅狭領域と、前記幅狭領域の横幅よりも大きく且つ前記背面壁の横幅の０．６倍以上の横幅を有する幅広領域と、を有し、
前記物品は、その一部分が前記背面壁と正面壁の間隙に差し入れられ且つ正面壁から突出しない状態、又は、その全体が前記正面壁にて覆われず且つ正面壁から突出しない状態で、前記背面壁に取り付けられている、包装体。
【請求項２】
前記第２側面壁が、前記幅狭領域の第２側部側を支持する狭対応側面壁と、前記幅広領域の第２側部側を支持し且つ前記狭対応側面壁とは独立した広対応側面壁と、を有し、
前記狭対応側面壁と広対応側面壁との間に、前記正面壁の第２側部が開放された開放部が設けられており、
前記物品の一部分が、前記開放部において前記背面壁と正面壁の間隙に差し入れられている、請求項１に記載の包装体。
【発明の詳細な説明】
【技術分野】
【０００１】
本発明は、陳列棚に載置して陳列できる包装体に関する。
【背景技術】
【０００２】
従来、取引の目的物である物品は、包装箱に収納されて包装体の形態で、陳列棚の上に載置され、販売されている。
また、特許文献１のように、略角柱形状の台座部を有する台紙本体に、筒状のシュリンクフィルムを介して物品が取り付けられた包装体も知られている。
かかる包装体は、物品が台紙本体で覆われておらず、購入者に対して物品を直接視認させることができる。このような包装体は、台座部の下部を陳列棚の上に載置して自立させて販売される。
【先行技術文献】
【特許文献】
【０００３】
【特許文献１】特開２０１７−１７１３２３号公報
【発明の概要】
【０００４】
ところで、特許文献１のような包装体を陳列棚に載せて販売する場合、図２７に示すように、複数の包装体を重ね合わせた状態で陳列することが考えられる。
このような陳列方式としては、大別して、（１）台座部の側面側を陳列棚の正面側（購入者に対面する側。図２７のＡ方向）とする場合、（２）物品及び台座部の正面側を陳列棚の正面側（購入者に対面する側。図２７のＢ方向）とする場合、の２通りある。
陳列方式（１）の場合、同図に示すように、右方の包装体の台座部の正面に、左方の包装体の台座本体の背面が接するようにして、Ｂ方向に複数の包装体が重ねられる（つまり、（１）の方式は、本棚に本を並べるように、複数の包装体の側面を左右方向に並べる陳列方式である）。この場合、購入者は、台座部の側面を見て、包装体を購入する。
陳列方式（２）の場合、同図に示すように、後方の包装体の台座部の正面に、前方の包装体の台座本体の背面が接するようにして、Ｂ方向に複数の包装体が重ねられる。この場合、購入者は、前方の包装体の物品及び台座部を見て、包装体を購入する。
【０００５】
しかしながら、従来の包装体を、特に（１）の方式で陳列した場合、複数の包装体が綺麗に整列し難く、陳列外観が悪くなり易い傾向にある。
具体的には、前記（１）の陳列形式の場合、販売者が陳列棚に並べる際、又は、購入者が手に取った後、再び元の箇所に戻した際に、図２８に示すように、左右の包装体が平行に並ばず正面から傾いてしまうことが多い。
【発明が解決しようとする課題】
【０００６】
本発明の目的は、陳列棚に載置して販売でき且つ物品を直接視認できる包装体において、複数を整列させ易く、綺麗に陳列することができる包装体を提供することである。
【課題を解決するための手段】
【０００７】
本発明の包装体は、物品と、前記物品が取り付けられた背面壁と、前記背面壁に対して間隙を有して配置され且つ前記背面壁と略平行に配置された正面壁と、前記正面壁の第１側部側を支持し且つ前記背面壁と正面壁の間隙を保持する第１側面壁と、前記正面壁の第２側部側を支持し且つ前記背面壁と正面壁の間隙を保持する第２側面壁と、を備え、前記背面壁及び正面壁の下部を陳列棚に載置して自立可能な包装体において、前記正面壁が、幅狭領域と、前記幅狭領域の横幅よりも大きく且つ前記背面壁の横幅の０．６倍以上の横幅を有する幅広領域と、を有し、前記物品は、その一部分が前記背面壁と正面壁の間隙に差し入れられ且つ正面壁から突出しない状態、又は、その全体が前記正面壁にて覆われず且つ正面壁から突出しない状態で、前記背面壁に取り付けられている。
【０００８】
本発明の好ましい包装体は、前記第２側面壁が、前記幅狭領域の第２側部側を支持する狭対応側面壁と、前記幅広領域の第２側部側を支持し且つ前記狭対応側面壁とは独立した広対応側面壁と、を有し、前記狭対応側面壁と広対応側面壁との間に、前記正面壁の第２側部が開放された開放部が設けられており、前記物品の一部分が、前記開放部において前記背面壁と正面壁の間隙に差し入れられている。
【発明の効果】
【０００９】
本発明の包装体は、陳列棚に並べていく際に、整列させながら並べやすく、綺麗に陳列できる。
【図面の簡単な説明】
【００１０】
【図１】第１実施形態の包装体の正面図。
【図２】同背面図。
【図３】同上面図。
【図４】同下面図。
【図５】同左側面図。
【図６】同右側面図。
【図７】図１のＶＩＩ−ＶＩＩ線で切断した断面図。
【図８】自立体を構成する台紙を展開した展開シートの平面図。
【図９】同台紙の正面図。
【図１０】同台紙の背面図。
【図１１】同台紙の上面図。
【図１２】（ａ）は、本発明の包装体を陳列方式（１）で陳列した際の正面図、（ｂ）は、その上面図。
【図１３】（ａ）は、本発明の包装体を陳列方式（２）で陳列した際の正面図、（ｂ）は、その上面図。
【図１４】包装体の背面壁の一部分を切り取ったときの背面図。
【図１５】第２実施形態の包装体の正面図。
【図１６】同左側面図。
【図１７】同右側面図。
【図１８】図１５のＸＶＩＩＩ−ＸＶＩＩＩ線で切断した断面図。
【図１９】自立体を構成する台紙を展開した展開シートの平面図。
【図２０】同台紙の正面図。
【図２１】第３実施形態の第１例の包装体を構成する台紙の正面図。
【図２２】同台紙の上面図。
【図２３】第３実施形態の第２例の包装体を構成する台紙の正面図。
【図２４】第４実施形態の包装体の正面図。
【図２５】第５実施形態の包装体の正面図。
【図２６】同上面図。
【図２７】従来の包装体を陳列した際の斜視図。
【図２８】従来の包装体を陳列した際の上面図。
【発明を実施するための形態】
【００１１】
本発明について、図面を参照しつつ具体的に説明する。
なお、用語の初めに「第１」、「第２」などを付す場合があるが、これらは、用語を区別するために付加されたものであり、その順序や優劣などを意味しない。
包装体の「正面」は、面積が最も大きく見える方向から見た面であって、包装体の主たる装飾が施されている面を指し、「背面」はその反対側の面を指す。「正面視」は、包装体の正面に対して鉛直方向から見ることをいい、「正面視形状」は、正面視における形状をいう。「背面視」は、包装体の背面に対して鉛直方向から見ることをいい、「背面視形状」は、背面視における形状をいう。
また、方向性を示す用語として、「上」、「下」を使用するが、これらは、包装体の正面側から見たときの方向性を指し、「縦」又は「縦方向」は、上下方向を指し、「横」又は「横方向」は、上下方向と直交する方向を指す。
【００１２】
［第１実施形態］
本発明の包装体１は、図１乃至図７に示すように、物品２と、自立体と、を有する。
自立体は、物品２が取り付けられた背面壁３と、背面壁３の一部分に形成される起立部と、を有する。
起立部は、正面壁４、第１側面壁５及び第２側面壁６を有し、背面壁３の一部分から立ち上げられている。
背面壁３及び正面壁４は、それぞれ平坦状である。正面壁４は、前記背面壁３に対して間隙を有して配置され且つ前記背面壁３と略平行に配置されている。よって、正面壁４と背面壁３の間には空洞が存在する。
正面壁４は、幅狭領域４１と、前記幅狭領域４１の横幅よりも大きい横幅を有する幅広領域４２と、を有する。前記幅広領域４２の横幅は、背面壁３の横幅の０．６倍以上である。なお、本明細書において、横幅は、横方向における長さをいう。背面壁３及び幅広領域４２が縦方向において横幅の異なる部分を有する場合、前記背面壁３の横幅及び前記幅広領域４２の横幅は、それぞれ最大値を意味する。
第１側面壁５は、正面壁４の第１側部側を支持し且つ前記背面壁３と正面壁４の間隙を保持している。第２側面壁６は、正面壁４の第２側部側を支持し且つ前記背面壁３と正面壁４の間隙を保持している。
【００１３】
物品２は、その一部分が前記背面壁３と正面壁４の間隙に差し入れられ且つ正面壁４から突出しない状態、又は、その全体が前記正面壁４にて覆われず且つ正面壁４から突出しない状態で、背面壁３に取り付けられている。
本発明の包装体１は、前記背面壁３の下部及び正面壁４の下部を陳列棚に載置して自立可能である。
自立状態の包装体１を正面側から見ると、背面壁３の一部分、物品２及び正面壁４を視認でき（図１参照）、第１側方（図１では左側方）から見ると、第１側面壁５を視認でき（図５参照）、第２側方（図１では右側方）から見ると、物品２及び第２側面壁６を視認できる（図６参照）。
【００１４】
具体的には、背面壁３、正面壁４、第１側面壁５及び第２側面壁６を含む自立体は、後述する台紙から形成されている。台紙の一部分を立体的に起立させることによって、正面壁４が背面壁３と略平行な状態で突出される。
台紙は、後述するように、重ね合わされた２枚のシート材から形成されている。
前記シート材は、特に限定されず、従来公知のものを用いることができる。シート材としては、例えば、厚紙（薄い合成樹脂製フィルム及び／又は金属蒸着層が積層された厚紙を含む）、合成樹脂製シート、金属蒸着層を有する合成樹脂製シート、発泡樹脂シート、及びこれらの積層シートなどが挙げられる。比較的安価であることから、前記厚紙を用いることが好ましい。前記合成樹脂製シートとしては、例えば、ポリオレフィン系、ポリエステル系、ポリスチレン系などのシートが挙げられ、適度な剛性を有することから、ポリプロピレン製シートが好ましい。
シート材の厚みは、特に限定されないが、好ましくは０．２ｍｍ〜１．５ｍｍ程度である。厚紙の場合には、０．５ｍｍ〜１．５ｍｍ程度であり、合成樹脂製シートの場合には、０．２ｍｍ〜０．６ｍｍ程度である。
【００１５】
背面壁３の背面視形状は、特に限定されないが、通常、図２に示すように、略矩形状に形成される。
背面壁３は、重ねられた裏シート片３１と表シート片３２とからなる２重シート部と、裏シート片３１のみからなる１重シート部と、から構成されている。
図２において、２重シート部と１重シート部を判り易くするために、便宜上、２重シート部に無数のドットを付している。
【００１６】
本実施形態では、背面壁３を構成する裏シート片３１に、第２側部から横方向に延びる切断用補助線７１が形成されている。
切断用補助線７１としては、図２に示すような、背面視略への字状の切込み線が所定方向に複数断続的に形成されたミシン目線、若しくは、直線状の切込み線又は点状の貫通孔が所定方向に複数断続的に形成されたミシン目線、又は、ハーフカット線などが挙げられる。
前記切断用補助線７１は、上下に一対形成されている。上方の切断用補助線７１は、２重シート部の上方部分において、裏シート片３１の第２側部から第１側部に亘って形成され、下方の切断用補助線７１は、２重シート部の下方部分において、２重シート部と１重シート部の境界に沿うように裏シート片３１の第２側部から１重シート部の側部にまで形成されている。
２重シート部においては、裏シート片３１と表シート片３２が重ね合わされている。裏シート片３１と表シート片３２の重ね合わせ面は、裏シート片３１と表シート片３２が不用意に離反しない状態で接着部７３にて接着されている。その重ね合わせ面の全体が接着されていてもよく、或いは、重ね合わせ面の一部分が接着されていてもよい。
接着方法としては、特に限定されず、例えば、接着剤を用いた接着、両面粘着テープを用いた接着などが挙げられる。
本実施形態では、後述するように、裏シート片３１の一部分を開封できるようにするため、裏シート片３１のうち、少なくとも上下の切断用補助線７１，７１で挟まれた領域は、表シート片３２に接着されておらず、その領域は、表シート片３２に対して分離可能である。
図２において、背面壁３を構成する裏シート片３１と表シート片３２のうち接着された領域（接着部７３）を判り易くするために、便宜上、裏シート片３１の接着された領域に網掛けを付している。
【００１７】
なお、背面壁３の上方中央部には、背面壁３の厚み方向に貫通する吊り下げ用孔７４が穿設されている。また、背面壁３の一部分には（１重シート部の一部分には）、後述する上フラップ部７５を係止するための上係止孔７６が穿設されている。
【００１８】
図１、図３乃至図７において、背面壁３の正面には、第１側面壁５及び第２側面壁６を介して正面壁４が間隙を有して配置されている。
少なくとも正面壁４及び第１側面壁５には、購入者が視認できるような箇所に、文字、図形などの所望の装飾デザインが施されている（装飾デザインは不図示）。装飾デザインは、通常、印刷によって施されるが、装飾されたシールを貼り付けるなどによって装飾デザインを施してもよい。好ましくは、背面壁３にも装飾デザインが施され、より好ましくは第２側面壁６にも装飾デザインが施される。
【００１９】
正面壁４は、縦方向において、横幅が異なる領域を有する。
具体的には、正面壁４は、比較的横幅が小さい幅狭領域４１と、幅狭領域４１よりも横幅が大きい幅広領域４２と、を有し、必要に応じて、幅狭領域４１の横幅と幅広領域４２の横幅の中間的な横幅を有する中間領域４３を有していてもよい。図示例では、正面壁４は、幅狭領域４１、中間領域４３及び幅広領域４２を有する。
幅狭領域４１、中間領域４３及び幅広領域４２は、縦方向において一連に繋がって略平坦状の正面壁４を構成している。
幅狭領域４１、中間領域４３及び幅広領域４２は、それぞれ１箇所であってもよく、それらから選ばれる少なくとも１つの領域が２箇所以上形成されていてもよい。
図示例では、上方に１つの幅広領域４２と、下方に１つの幅広領域４２と、両領域の間に、１つの中間領域４３と、が形成されている。
【００２０】
幅狭領域４１は、正面壁４の横幅の最小部分を含み、幅広領域４２は、正面壁４の横幅の最大部分を含んでいる。幅狭領域４１の横幅は、特に限定されないが、例えば、背面壁３の横幅の０．１倍〜０．５倍であり、好ましくは、背面壁３の横幅の０．１５倍〜０．３倍である。別の観点では、正面壁４のうち、背面壁３の横幅×０．１〜×０．５（好ましくは×０．１５〜×０．３）の横幅を有する領域が幅狭領域４１の範疇に含まれる。
幅広領域４２の横幅は、背面壁３の横幅の０．６倍以上であり、好ましくは０．７倍以上、より好ましくは０．８倍以上であり、さらに好ましくは、０．８５倍以上である。また、幅広領域４２の横幅の上限は、背面壁３の横幅と同じであり、好ましくは背面壁３の横幅の０．９５倍以下であり、より好ましくは０．９倍以下である。別の観点では、正面壁４のうち、背面壁３の０．６倍以上（好ましくは０．７倍以上、より好ましくは０．８倍以上、さらには０．８５倍以上）の横幅を有する領域が幅広領域４２の範疇に含まれる。
幅広領域４２の縦幅は、特に限定されないが、余りに小さいと幅広領域４２を設けた意義がなく、余りに大きいと物品２を取り付ける箇所が狭くなるので（物品２の多くの部分が正面壁４で覆われるので）、背面壁３の縦幅の０．１倍〜０．５倍が好ましく、さらに、背面壁３の縦幅の０．１５倍〜０．４倍がより好ましく、０．１５倍〜０．３倍がさらに好ましい。本明細書において、縦幅は、縦方向における長さをいう。背面壁３及び幅広領域４２が横方向において縦幅の異なる部分を有する場合、前記背面壁３の縦幅及び前記幅広領域４２の縦幅は、それぞれ最大値を意味する。
中間領域４３は、幅狭領域４１と幅広領域４２の間に介在し、幅広領域４２に向かうに従い徐々に横幅が大きくなっている。
【００２１】
正面視で、正面壁４の第１側部は、幅狭領域４１、中間領域４３及び幅広領域４２の各第１側部（この各第１側部は、いずれも縦方向に直線状に延びている）からなる。各領域の第１側部が縦方向に連続することによって、正面壁４の第１側部は、正面視で、１本の直線状となっている。正面視で、正面壁４の第２側部は、幅狭領域４１の第２側部及び幅広領域４２の第２側部（この各第２側部は、それぞれ独立して、いずれも縦方向に直線状に延びている）と中間領域４３の第２側部（この第２側部は、上方から下方に向かって下向き円弧状に延びている）とからなる。各領域の第２側部が縦方向に連続することによって、正面壁４の第２側部は、正面視で略曲線状となっている。
なお、正面壁４の上部（幅狭領域４１の上部）には、上向き円弧状の延出領域４４が延設されている。延出領域４４により、ＰＯＰ効果（装飾的に目立つ効果）を期待できる。
【００２２】
第１側面壁５は、正面壁４の少なくとも幅狭領域４１及び幅広領域４２の第１側部側と、背面壁３の第１側部側との間に介在し、背面壁３から離反した正面壁４の第１側部側を支持している。なお、本明細書において、「第１側部側」とは、第１側部又は第１側部の近傍部を意味し、「第２側部側」とは、第２側部又は第２側部の近傍部を意味する。
本実施形態の第１側面壁５は、１枚のシート片からなる１つの平板状からなるが、概念的には、第１側面壁５は、前記幅狭領域４１の第１側部側を支持する側面壁と、前記中間領域４３の第１側部側を支持する側面壁と、前記幅広領域４２の第１側部側を支持する側面壁と、からなる。
第１側面壁５は、その一方端部が背面壁３の第１側部に連結され且つ背面壁３に対して略直角状に折れ曲がっている。
また、第１側面壁５の反対端部は、幅狭領域４１の第１側部、中間領域４３の第１側部及び幅広領域４２の第１側部に連続して連結され、第１側面壁５は、正面壁４に対して略直角状に折れ曲がっている。
なお、第１側面壁５の一部分には、後述する下フラップ部７７を係止するための下係止孔７８が穿設されている。
【００２３】
第２側面壁６は、正面壁４の少なくとも幅狭領域４１及び幅広領域４２の第２側部側と、背面壁３の横方向中途部との間に介在し、背面壁３から離反した正面壁４の第２側部側を支持している。
第２側面壁６は、例えば、平坦状であり、第１側面壁５に対して間隙を有し、第１側面壁５に対して略平行に配置されている。
前記第２側面壁６は、前記幅狭領域４１の第２側部側を支持する側面壁（狭対応側面壁６１）と、前記幅広領域４２の第２側部側を支持する側面壁（広対応側面壁６２）と、を有し、必要に応じて、中間領域４３を支持する側面壁を有していてもよい。
図示例では、第２側面壁６は、幅狭領域４１の第２側部側を支持する狭対応側面壁６１と、幅広領域４２の第２側部側を支持し且つ狭対応側面壁６１とは独立した広対応側面壁６２と、からなる。前記狭対応側面壁６１と広対応側面壁６２との間には、側面壁が設けられておらず、正面壁４（中間領域４３）の第２側部が開放された開放部６９が設けられている。つまり、中間領域４３の第２側部側に側壁部を設けないことにより、中間領域４３の第２側部に、背面壁３と正面壁４の間の間隙に連通する開放部６９が形成されている。
前記狭対応側面壁６１は、その一方端部が背面壁３の横方向中途部に連結され且つ背面壁３に対して略直角状に折れ曲がっている。また、狭対応側面壁６１の反対端部は、正面壁４の幅狭領域４１の第２側部に連結され、狭対応側面壁６１は、幅狭領域４１に対して略直角状に折れ曲がっている。
前記広対応側面壁６２は、その一方端部が背面壁３の横方向中途部に連結され且つ背面壁３に対して略直角状に折れ曲がっている。また、広対応側面壁６２の反対端部は、正面壁４の幅広領域４２の第２側部に連結され、広対応側面壁６２は、幅広領域４２に対して略直角状に折れ曲がっている。
【００２４】
第１側面壁５及び第２側面壁６によって、略平行に配置された背面壁３と正面壁４との間の間隙が保持されている。
第１側面壁５、正面壁４及び第２側面壁６は、背面壁３から起立しており、背面壁３の一部分と協働して四角筒状を成している。
すなわち、図３に示すように、第１側面壁５、正面壁４の幅狭領域４１、第２側面壁６（狭対応側面壁６１）及び背面壁３の一部分は、上面視で四角筒状部を形成しており、図４に示すように、第１側面壁５、正面壁４の幅広領域４２、第２側面壁６（広対応側面壁６２）及び背面壁３の一部分は、上面視で四角筒状部を形成している。
なお、前記幅狭領域４１を含む四角筒状部の形状を維持するため、その四角形状に合致する上フラップ部７５が嵌め込まれている。この上フラップ部７５は、第１側面壁５の上部から略直角状に折り曲げられ、上係止部７５ａを上係止孔７６に係止させることにより、四角筒状部に嵌められている。
また、前記幅広領域４２を含む四角筒状部の形状を維持するため、背面壁３と正面壁４の間隙と同じ長さの下フラップ部７７が嵌め込まれている。この下フラップ部７７は、背面壁３から略直角状に折り曲げられ、下係止部７７ａを下係止孔７８に係止させることにより、四角筒状部に嵌められている。
【００２５】
物品２は、正面壁４から突出しないように、背面壁３に取り付けられている。正面壁４から突出しないとは、図３乃至図６に示すように、正面壁４の外面よりも物品２が出っ張っていないことをいう。
特に、物品２の厚みが、背面壁３と正面壁４の間隙の長さ（間隙の長さは、背面壁３の内面と正面壁４の内面間の距離をいう）と略同等であることが好ましい。このような物品２を背面壁３に取り付けた際に、その物品２の正面と正面壁４が略面一となり、物品２の正面が正面壁４の幅広領域４２と協働して、比較的大面積の略平坦状の接触面が包装体１の正面側に生じるようになる。
【００２６】
物品２は、図示のように、その一部分が開放部６９から背面壁３と正面壁４の間隙に差し入れられた状態で背面壁３に取り付けられている。この場合、物品２のうち間隙に差し入れられた部分は、正面壁４に覆われ、物品２のうち間隙に差し入れられていない部分は、正面壁４に覆われず、正面側から視認できる。この場合、物品２のうち間隙に差し入れられていない部分の正面視における面積が、物品２の正面視形状の面積（物品そのものの正面視における面積）の０．８倍以上であることが好ましく、０．９倍以上であることがより好ましい。
物品２の背面壁３に対する取り付け方法は、特に限定されず、接着剤又は粘着剤を用いた接着、両面粘着テープを用いた接着、成形ケースや特許文献１のような透明なシュリンクフィルムなどの物品保持部材を用いた取り付けなどが挙げられる。
【００２７】
図８は、上記自立体を構成する台紙の展開図（展開シートの平面図）を示し、図９乃至図１１は、自立体を構成する台紙を示す。
なお、図８の展開シート及び図９乃至図１１の台紙において、上記自立体において説明した各構成要素に対応する部分に、各構成要素と同じ用語及び符号を使用する。
図８の展開シート８１は、例えば、１枚のシート材から形成されている。
展開シート８１は、紙面右側から順に、背面壁３を構成する表シート片３２と、第２側面壁６の狭対応側面壁６１及び広対応側面壁６２と、延出領域４４と、幅狭領域４１、中間領域４３及び幅広領域４２を有する正面壁４と、第１側面壁５と、上フラップ部７５と、背面壁３を構成する裏シート片３１と、下フラップ部７７と、を有する。
表シート片３２の面内に切込み線８１ａを形成することにより、狭対応側面壁６１、正面壁４及び広対応側面壁６２が形成されている。裏シート片３１の面内に切込み線８１ｂを形成することにより、背面壁３、上フラップ部７５及び下フラップ部７７が形成されている。
展開シート８１に示される破線は、折り罫線を示す。折り罫線は、シート材を折り曲げやすくするための線である。この折り罫線は、特に限定されず、例えば、シート材の厚み方向に貫通する小孔が断続的に形成されたミシン目線、シート材を厚み方向に押し込んだ凹状の押し線、シート材の厚み方向に切り込んだＶノッチ線などが挙げられる。
【００２８】
この展開シート８１を、第１側面壁５と正面壁４の境界に形成された折り罫線にて折り返し、背面壁３を構成する裏シート片３１のうち上下の切断用補助線７１で挟まれた領域を除いて、裏シート片３１と表シート片３２の重ね合わせ面（内面）の所定箇所を接着することにより、図９乃至図１１の台紙８２が得られる。
この台紙８２のうち、第１側面壁５、正面壁４及び第２側面壁６を起立させて四角筒状部を形成した後、幅狭領域４１を含む四角筒状部に上フラップ部７５を嵌め入れつつ上係止孔７６に上係止部７５ａを係止させ、且つ幅広領域４２を含む四角筒状部に下フラップ部７７を嵌め入れつつ下係止孔７８に下係止部７７ａを係止させることにより、自立体が得られる。その自立体の背面壁３の所定位置に物品２を取り付けることにより、第１実施形態の包装体１が得られる。
なお、台紙８２の所定位置に物品２を取り付けた後に、第１側面壁５、正面壁４及び第２側面壁６を起立させることにより、包装体１を作製してもよい。
【００２９】
本発明の包装体１は、背面壁３及び正面壁４の下部を陳列棚に載置し、陳列棚に自立させて販売される。
図１２（ａ）は、包装体１の第１側面壁５が購入者に対面するように包装体１を陳列棚Ｘ（載置面）の上に自立させ、複数の包装体１を左右方向に重ねて並べて陳列した陳列方式（１）の正面側から見た図であり、同図（ｂ）は、その陳列方式（１）で並べられた複数の包装体１を上側から見た図である。
図１３（ａ）は、包装体１の正面が購入者に対面するように包装体１を陳列棚Ｘ（載置面）の上に自立させ、複数の包装体１を前後方向（奥行き方向）に重ねて並べて陳列した陳列方式（２）を正面側から見た図であり、同図（ｂ）は、その陳列方式（２）で並べられた複数の包装体１を上側から見た図である。
【００３０】
本発明の包装体１は、特に、（１）の方式で陳列する場合でも、容易に且つ綺麗に整列させて良好な陳列外観とすることができる。
具体的には、陳列方式（１）で陳列する場合、陳列棚Ｘ上に載せた第１の包装体１の側方に、第２の包装体１を押し入れていく。この際、第１の包装体１の正面壁４（又は背面壁３）に、第２の包装体１の背面壁３（又は正面壁４）を接触させつつそれをスライドさせることにより、図１２に示すように、第１側面壁５を正面側として複数の包装体１を陳列できる。
本発明の包装体１は、背面壁３の横幅の０．６倍以上の横幅を有する幅広領域４２を有するので、比較的長い間、一方の包装体１の正面壁４の幅広領域４２を他方の包装体１の背面壁３に沿わせつつスライドさせることができる。このため、包装体１を陳列棚Ｘに並べる際に歪み難いので、複数の包装体１を綺麗に整列させることができ、複数の包装体１の第１側面壁５が正面に略平行に並んだ綺麗な陳列外観が得られる。
さらに、物品２の一部分が背面壁３と正面壁４の間隙に差し入れられているので、正面壁４の幅広領域４２を背面壁３に沿わせつつ包装体１をスライドさせる際に、物品２が干渉することを確実に防止できる。
特に、物品２の厚みが背面壁３と正面壁４の間隙の長さと略同等であることにより、比較的大面積の略平坦状の接触面が包装体１の正面側に形成されるので、より安定的に包装体１をスライドさせることができる。
【００３１】
また、包装体１を（２）の方式で陳列した場合にも、前後に並べられた包装体１が歪み難くなる。
なお、背面壁３には吊り下げ用孔７４が穿設されているので、包装体１を吊り下げ陳列することもできる。
また、背面壁３を構成する裏シート片３１に一対の切断用補助線７１が形成されているので、図１４に示すように、一対の切断用補助線７１で挟まれた領域を背面壁３から捲り上げることができる。この場合、前記一対の切断用補助線７１で挟まれた領域の内面などに、装飾デザインを施しておくことにより、購入者は、背面壁３の一部分を捲って新たな装飾デザインを視認できる。
【００３２】
以下、本発明の第２実施形態を説明するが、その説明に於いては、主として上述の実施形態と異なる構成及び効果について説明し、同様の構成などについては、用語又は符号をそのまま援用し、その構成の説明を省略する場合がある（第３実施形態以降も同様）。
【００３３】
［第２実施形態］
第２実施形態の包装体１も、図１５乃至図１８に示すように、物品２と、自立体と、を有する。
自立体は、物品２が取り付けられた背面壁３と、正面壁４、第１側面壁５及び第２側面壁６を有する起立部と、を有する。
背面壁３及び正面壁４は、それぞれ平坦状である。正面壁４は、背面壁３に対して間隙を有し、背面壁３と略平行に配置されている。正面壁４は、幅狭領域４１と、背面壁３の横幅の０．６倍以上の幅広領域４２と、を有する。
背面壁３は、重ねられた裏シート片３１と表シート片３２とからなる２重シート部と、裏シート片３１のみからなる１重シート部と、から構成されている。
前記背面壁３を構成する裏シート片３１には、上記第１実施形態のような切断用補助線７１が形成されていてもよく、或いは、切断用補助線が形成されていなくてもよい。
【００３４】
本実施形態では、正面壁４は、中間領域を有さない。幅広領域４２及び幅狭領域４１が縦方向において一連に繋がって略平坦状の正面壁４を構成している。また、幅広領域４２が幅狭領域４１よりも上側に配置されている。また、幅広領域４２には延出領域４５が延設されている。延出領域４５は、例えば、幅広領域４２の第２側部から横方向に且つ幅広領域４２と略平行に延設され、正面視で横向き円弧状などの所望形状に形成されている。延出領域４５の第２側部側は、側面壁で支持されておらず、自由端部とされている。
第１側面壁５は、１枚のシート片からなる１つの平板状からなり、正面壁４の第１側部側を支持し且つ前記背面壁３と正面壁４の間隙を保持している。
第２側面壁６は、正面壁４の第２側部側を支持し且つ前記背面壁３と正面壁４の間隙を保持している。第２側面壁６は、幅狭領域４１の第２側部側を支持する狭対応側面壁６１と、幅広領域４２の第２側部側を支持し且つ狭対応側面壁６１とは独立した広対応側面壁６２と、からなる。前記広対応側面壁６２の一部分は、前記延出領域４５を構成している。前記狭対応側面壁６１と広対応側面壁６２との間には、側面壁が設けられておらず、正面壁４の第２側部が開放された開放部６９が設けられている。
前記延出領域４５を延設することにより、より大面積の略平坦状の接触面が包装体１の正面側に形成されるので、安定的に包装体１をスライドさせることができる。特に、幅広領域４２から横方向に延びるように延出領域４５が延設されていることにより、実質的に幅広領域４２が横方向に延出され、より安定的に包装体１をスライドさせることができる。
また、延出領域４５により、ＰＯＰ効果（装飾的に目立つ効果）も期待できる。
なお、延出領域は、幅狭領域４１（第１実施形態参照）や幅広領域４２（本実施形態）などの正面壁４の種々な箇所から延出させることができ、その形状や数も適宜設定できる。
【００３５】
物品２は、正面壁４から突出しないように、背面壁３に取り付けられている。本実施形態では、物品保持部材として透明な成形ケース２１を背面壁３に剥離可能に貼り付け、その成形ケース２１と背面壁３によって形成される内部空間に物品２が保持されている。このような成形ケース２１としては、ブリスター容器などが挙げられる。
この成形ケース２１などの物品保持部材も、正面壁４から突出しないようにして、物品２が前記物品保持部材を介して背面壁３に取り付けられている。
また、物品２の一部分及び物品保持部材の一部分が開放部６９から背面壁３と正面壁４の間隙に差し入れられている。
【００３６】
図１９は、第２実施形態の自立体を構成する台紙の展開図（展開シートの平面図）を示し、図２０は、自立体を構成する台紙を示す。
なお、図１９の展開シート及び図２０の台紙において、第２実施形態で説明した各構成要素に対応する部分に、各構成要素と同じ用語及び符号を使用する。破線で示す符号は、折り罫線を示す。
【００３７】
この展開シート８１を、折り罫線にて折り返し、背面壁３を構成する裏シート片３１を背面壁３を構成する表シート片３２に接着することにより、図２０の台紙８２が得られる。
この台紙８２のうち、第１側面壁５、正面壁４及び第２側面壁６を起立させて四角筒状部を形成した後、幅広領域４２を含む四角筒状部に上フラップ部７５を嵌め入れつつ上係止孔７６に上係止部７５ａを係止させ、且つ幅狭領域４１を含む四角筒状部に下フラップ部７７を嵌め入れつつ下係止孔７８に下係止部７７ａを係止させることにより、自立体が得られる。その自立体の背面壁３の所定位置に物品保持部材を介して物品２を取り付けることにより、第２実施形態の包装体１が得られる。
本実施形態の包装体１も上記第１実施形態と同様な陳列方式で陳列される。
【００３８】
［第３実施形態］
本実施形態では、物品２をシュリンクフィルムを用いて背面壁３に取り付ける場合を例示する。
図２１及び図２２は、上記第１実施形態と同様な台紙８２に、物品保持部材として透明なシュリンクフィルム２２が予め取り付けられたものであり、図２３は、上記第２実施形態と同様な台紙８２に、物品保持部材として透明なシュリンクフィルム２２が予め取り付けられたものである。
シュリンクフィルム２２は、加熱によって主として周方向に熱収縮する透明（無色透明又は有色透明）なフィルムからなり、そのフィルムを筒状に形成したものである。このようなシュリンクフィルムとしては、従来公知のものを用いることができる。シュリンクフィルム２２は、接着剤７９、粘着剤、両面粘着テープなどを用いて、背面壁３の所定位置（物品２を取り付ける予定の位置）に接着されている。なお、図２１及び図２３において、接着された部分に網掛けを付している。
シュリンクフィルム２２が予め設けられている台紙８２については、シュリンクフィルム２２の筒内に物品２を挿入し加熱することにより、シュリンクフィルム２２を介して物品２を背面壁３に固定する。その後、第１実施形態で説明したように、台紙８２の第１側面壁５などを起立させて自立体を形成することにより、包装体１が得られる。なお、台紙８２を起立させて自立体を作製した後、シュリンクフィルム２２に物品を挿入し、加熱してもよい。
【００３９】
［第４実施形態］
上記第１及び第２実施形態では、正面視で、物品２の一部分が背面壁３と正面壁４の間隙に差し入れられた状態で背面壁３に取り付けられているが、例えば、図２４に示すように、物品２の全体が正面壁４にて覆われず且つ正面壁４から突出しない状態で、物品２が取り付けられていてもよい。
【００４０】
［第５実施形態］
また、上記第１及び第２実施形態では、１つの幅狭領域４１と１つの幅広領域４２とを有する正面壁４を図示したが、例えば、図２５及び図２６に示すように、正面壁４は、２つの幅狭領域４１と２つの幅広領域４２を有していてもよい。また、図示のように、正面壁４は、横方向において離れていてもよく、特に図示しないが、上下に離れていてもよい。
また、正面壁４は、上記各実施形態で図示したような正面視略Ｌ字状に限られず、正面視略コの字状などの種々の形状に設定することができる（図示せず）。
【符号の説明】
【００４１】
１  包装体
２  物品
３  背面壁
４  正面壁
４１  幅狭領域
４２  幅広領域
５  第１側面壁
６  第２側面壁
６１  狭対応側面壁
６２  広対応側面壁
６９  開放部
Ｘ  陳列棚
【図１】
2019142577.tif 000003
【図２】
2019142577.tif 000004
【図３】
2019142577.tif 000005
【図４】
2019142577.tif 000006
【図５】
2019142577.tif 000007
【図６】
2019142577.tif 000008
【図７】
2019142577.tif 000009
【図８】
2019142577.tif 000010
【図９】
2019142577.tif 000011
【図１０】
2019142577.tif 000012
【図１１】
2019142577.tif 000013
【図１２】
2019142577.tif 000014
【図１３】
2019142577.tif 000015
【図１４】
2019142577.tif 000016
【図１５】
2019142577.tif 000017
【図１６】
2019142577.tif 000018
【図１７】
2019142577.tif 000019
【図１８】
2019142577.tif 000020
【図１９】
2019142577.tif 000021
【図２０】
2019142577.tif 000022
【図２１】
2019142577.tif 000023
【図２２】
2019142577.tif 000024
【図２３】
2019142577.tif 000025
【図２４】
2019142577.tif 000026
【図２５】
2019142577.tif 000027
【図２６】
2019142577.tif 000028
【図２７】
2019142577.tif 000029
【図２８】
2019142577.tif 000030